(57)【要約】      （修正有）【課題】運搬時の食器、シート材及びトレイの相対移動を規制できるトレイセットを提供する。【解決手段】食器運搬用のトレイ２及びトレイに載置される滑り止めシート３からなるトレイセット１であって、板状のトレイの上面２３と滑り止めシートの上面３１に、それぞれ滑り止め２３１、３１１を設けて、トレイとシートとの相対移動を規制すると共に、シートに載置された食器とシートとの相対移動を規制する。【選択図】図１
0003209761.tif 000002
【実用新案登録請求の範囲】
【請求項１】
食器運搬用のトレイ及び当該トレイに載置されるシート材からなるトレイセットであって、
板状の前記トレイの上面と、前記シート材の上面とに、滑り止めを設けたことを特徴とするトレイセット。
【請求項２】
前記滑り止めは、前記トレイの上面と、前記シート材の上面の全面に亘って設けられていることを特徴とする請求項１に記載のトレイセット。
【請求項３】
食器運搬用のトレイに載置されるシート材であって、
前記シート材の上面には、滑り止めが設けられていることを特徴とするシート材。
【請求項４】
前記滑り止めは、前記シート材の上面の全面に亘って設けられていることを特徴とする請求項３に記載のシート材。
【請求項５】
前記滑り止めは、前記シート材の上面の中央部分に設けられていることを特徴とする請求項３に記載のシート材。
【請求項６】
食器運搬用のトレイに載置されるシート材であって、
前記シート材の上面と、当該上面とは反対の面に滑り止めが設けられていることを特徴とするシート材。
【請求項７】
前記滑り止めは、前記シート材の角部を除いた領域に設けられていることを特徴とする請求項３または請求項６に記載のシート材。
【考案の詳細な説明】
【技術分野】
【０００１】
本考案は、トレイセット、およびシート材に関する。
【背景技術】
【０００２】
例えば、特許文献１には、食器の運搬を安定して行うためのトレイが開示されている
【先行技術文献】
【特許文献】
【０００３】
【特許文献１】実願２０１４−００４４７０
【考案の概要】
【考案が解決しようとする課題】
【０００４】
図６の（ａ）に示すように、従来、食品または食品を盛った食器（以下、食器２００と標記する。）を運搬する場合、当該食器２００は、板状のトレイ１００上に載置された状態で運搬される。そして、トレイ１００には、食器２００が複数個載置されることが多い。
【０００５】
ここで、運搬中にトレイ１００に対して不測の力が作用すると、食器２００がトレイ１００上で相対移動する（滑る）ことがある。そうすると、食器２００が互いにぶつかり合ったり、食器２００が倒れたりすることで、食器２００から食品がこぼれる場合がある。
【０００６】
そこで、トレイ１００の一方の面１１０（食器２００が載置される面）には、滑り止めとして無数の凹凸１１１が略全面に亘って設けられており、運搬中に食器２００とトレイ１００との相対移動を規制している（以下、無数の凹凸１１１を、滑り止め１１１と標記する。）。
【０００７】
しかしながら、食事を行う場合は、トレイ１００上に食器２００を載せた状態で行うことが多い。この場合、食品をトレイ１００上に落とすと、トレイ１００本体が汚れてしまう。よって、トレイ１００が汚れることを防ぐ為に、トレイ１００と食器２００との間には、紙製のシート材４００が設けられていることがある（図６の（ｂ）参照）。
【０００８】
通常、紙製のシート材４００は、トレイ１００の一方の面１１０を略全面に亘って覆う大きさで形成されている。この場合、滑り止め１１１によって、シート材４００とトレイ１００との相対移動は規制される。しかし、食器２００とシート材４００とは相対移動可能となる。
よって、運搬中にトレイ１００に対して不測の力が作用すると、食器２００とシート材４００とが相対移動する結果、食器２００はトレイ１００とも相対移動することになる。
そうすると、トレイ１００上において食器２００が互いにぶつかり合ったり、食器２００が倒れたりすることで、食器２００から食品がこぼれることになる。
【０００９】
そこで、食器２００、シート材４００及びトレイ１００の相対移動を規制することが求められている。
【課題を解決するための手段】
【００１０】
本考案は、
食器運搬用のトレイ及び当該トレイに載置されるシート材からなるトレイセットであって、
板状のトレイの上面と、シート材の上面とに、滑り止めを設けた構成のトレイセットとした。
【考案の効果】
【００１１】
本考案によれば、
トレイの上面に設けた滑り止めによって、シート材とトレイとの相対移動を規制し、シート材の上面に設けた滑り止めによって、食器とシート材との相対移動を規制する。よって、食器、シート材及びトレイの相対移動を規制することができる。
【図面の簡単な説明】
【００１２】
【図１】実施の形態にかかるトレイセットを説明する図である。
【図２】トレイを説明する図である。
【図３】滑り止めシートを説明する図である。
【図４】変形例にかかる滑り止めシートを説明する図である。
【図５】変形例にかかる滑り止めシートを説明する図である。
【図６】従来例にかかるトレイについて説明する図である。
【００１３】
以下、本考案の実施の形態を説明する。
図１は、トレイセット１を説明する図である。
図１の（ａ）は、実施の形態にかかるトレイセット１を説明する斜視図である。
トレイセット１が使用されている状態を把握し易くするために、トレイセット１に載置された食器６を破線で示してある。
図１の（ｂ）は、図１の（ａ）における面Ａで切断したトレイセット１の断面を模式的に示した図である。
図１の（ｃ）は、図１の（ｂ）における領域Ａを拡大して表示した図である。
なお、滑り止めシート３の厚みと、滑り止め３１１及び滑り止め２３１は、見易くするために誇張して記載してあると共に、滑り止め３１１と滑り止め２３１は、判別し易くするために形状及びハッチングを変えて記載している。
【００１４】
［トレイセット１］
図１の（ａ）に示すように、実施の形態にかかるトレイセット１は、食器運搬用のトレイ２（以下、トレイ２と標記する。）と、当該トレイ２に載置される滑り止めシート３から構成されている。そして、食器６は滑り止めシート３を介してトレイ２上に載置されるようになっている（図中、破線参照）。
【００１５】
図２は、トレイ２を説明する図である。
図２の（ａ）は、トレイ２の平面図である。
図２の（ｂ）は、トレイ２の正面図である。
図２の（ｃ）は、トレイ２の側面図である。
図２の（ｄ）は、トレイ２の裏面図である。
【００１６】
［トレイ２］
図２の（ａ）、（ｂ）に示すように、板状のトレイ２は、矩形形状の底板２０から側壁２１を立ち上げて底板２０の全周を囲み、側壁２１の上端縁からは、さらに外方へ一定幅のフランジ２２を延ばしている。フランジ２２は底板２０に対応して矩形枠を呈している。側壁２１は、上部が外広がりとなるように傾斜しているとともに、フランジ２２は底板２０と平行である。
【００１７】
図２の（ｂ）に示すように、フランジ２２の厚み方向における底板２０側の面（図中、下側）には、矩形枠の四つ角に当該フランジ２２の全幅にわたるリブ２２１が形成されている。また、矩形枠の各辺の途中位置には、フランジ２２の全幅にわたるリブ２２２が、等間隔で２箇所ずつ形成されている。このリブ２２１、２２２のフランジ２２からの突出長さは、いずれも同一である。
【００１８】
図２の（ａ）に示すように、トレイ２の底板２０の厚み方向における一方の面２３は、厚み方向に直交する平坦面となっている（図中、紙面手前側。以下、上面２３と標記する。）。この上面２３には、無数の凹凸２３１が略全面に亘って形成されている。
【００１９】
実施の形態では、トレイ２はポリカーボネイト樹脂製である。また、無数の凹凸２３１は摩擦係数の高いアクリル樹脂または軟質ウレタンで形成されており、トレイ２上に載置したものに対して相対移動を規制する効果（滑り止め効果）がある（以下、無数の凹凸２３１を、滑り止め２３１と標記する。）。
【００２０】
図２の（ｄ）に示すように、トレイ２の底板２０の厚み方向における他方の面２４（図中、紙面手前側。以下、下面２４と標記する。）には、長手方向に沿って３本のリブ２４１（２４１ａ、２４１ｂ、２４１ｃ）が平行に形成されている。
この３本のリブ２４１（２４１ａ、２４１ｂ、２４１ｃ）のうち、リブ２４１ａが、長手方向に直交する方向に底板２０を二等分する位置に設けられており、リブ２４１ｂと２４１ｃが、リブ２４１ａを挟んで対称な位置に設けられている。
【００２１】
図２の（ｃ）、（ｄ）に示すように、リブ２４１ｂ、２４１ｃは、側壁２１に延びており、フランジ２２のリブ２２２のうち、長手方向に直交する辺に設けられたリブ２２２に連なっている。
このリブ２４１は、トレイ２自体が曲がることを防止し、上面２３が平坦面であることを維持している。
【００２２】
［滑り止めシート３］
図３は、滑り止めシート３を説明する斜視図である。なお、滑り止めシート３の厚みと滑り止め３１１は、見易くするために誇張して記載してある。
【００２３】
滑り止めシート３は、紙製または樹脂製のシート材であり、平面視において矩形形状を成している。
この滑り止めシート３の厚み方向における一方の面３１（図中、上側。以下、上面３１と標記する。）は、厚み方向に直交する平坦面となっている。この上面３１には、無数の凹凸３１１が略全面に亘って設けられている。
【００２４】
実施の形態では、無数の凹凸３１１は摩擦係数の高いアクリル樹脂または軟質ウレタンで形成されており、滑り止めシート３に載置したものに対して相対移動を規制する効果（滑り止め効果）がある（以下、無数の凹凸３１１を、滑り止め３１１と標記する。）。
なお、滑り止め３１１は、無色透明であり、例えば上面３１に印刷された文字、図柄などの表示を妨げないようになっている。
【００２５】
図１に示すように、滑り止めシート３は、当該滑り止めシート３の長手方向をトレイ２の長手方向に沿わせた向きで、トレイ２の上面２３に載置される。
図１の（ｂ）、（ｃ）に示すように、滑り止めシート３の厚み方向における他方の面３２（図中、下側。以下、下面３２と標記する。）を、トレイ２の上面２３に対向させた状態でトレイ２に載置する。この場合、トレイ２の上面２３（滑り止め２３１）が滑り止めシート３の下面３２と接触する。
【００２６】
また、滑り止めシート３は、平面視においてトレイ２の底板２０のうち側壁２１で囲まれた領域と略整合する大きさを有しており、トレイ２の上面２３が、略全面に亘って滑り止めシート３で覆われるようになっている。この滑り止めシート３を介して、トレイ２に食器６を載置すると、滑り止めシート３の上面３１（滑り止め３１１）が食器６と接触する。
【００２７】
そうすると、トレイ２の上面２３に設けられた滑り止め２３１によって、滑り止めシート３とトレイ２との相対移動を規制し、滑り止めシート３の上面３１に設けられた滑り止め３１１によって、食器６と滑り止めシート３との相対移動を規制する。よって、食器６、滑り止めシート３及びトレイ２の相対移動が規制される。
【００２８】
なお、実施の形態では、滑り止めシート３と、この滑り止めシート３が載置されたトレイ２とのセット（トレイセット１）として説明をしたが、滑り止めシート３やトレイ２は、それぞれ単独でも利用可能である。
【００２９】
以上の通り、実施の形態では、
（１）食器運搬用のトレイ２及び当該トレイ２に載置される滑り止めシート３（シート材）からなるトレイセット１であって、
板状のトレイ２の上面２３に滑り止め２３１を設け、滑り止めシート３の上面３１と滑り止め３１１を設けた構成とした。
【００３０】
このように構成すると、トレイ２の上面２３に設けられた滑り止め２３１によって、滑り止めシート３とトレイ２との相対移動を規制し、滑り止めシート３の上面３１に設けられた滑り止め３１１によって、食器６と滑り止めシート３との相対移動を規制する。よって、食器６、滑り止めシート３及びトレイ２の相対移動を規制することができる。
【００３１】
特に、滑り止めシート３が載置されたトレイ２に食器６を載せると、載せられた食器６が、滑り止めシート３やトレイ２に対して相対的に移動することを好適に防止できる。
よって、暖かいもの（例えば、スープ）が入った食器６などを載せても、スープがこぼれることを好適に防止できる。
【００３２】
（２）トレイ２の滑り止め２３１は、当該トレイ２の上面２３の全面に亘って設けられており、滑り止めシート３の滑り止め３１１は、当該滑り止めシート３の上面３１の全面に亘って設けられている構成とした。
【００３３】
このように構成すると、滑り止めシート３を介した状態で、食器６をトレイ２上の任意の位置に載置しても、食器６、滑り止めシート３及びトレイ２の相対移動を規制できる。
【００３４】
（３）食器運搬用のトレイ２に載置される滑り止めシート３であって、
滑り止めシート３の上面３１には、滑り止め３１１が設けられている構成とした。
【００３５】
このように構成すると、滑り止めシート３の上面３１に設けた滑り止め３１１によって、食器６と滑り止めシート３との相対移動を規制できる。
【００３６】
（４）滑り止め３１１は、滑り止めシート３の上面３１の全面に亘って設けられている構成とした。
【００３７】
このように構成すると、滑り止めシート３上の任意の位置に食器６を載置しても、当該食器６と滑り止めシート３との相対移動を規制できる。
【００３８】
以下、変形例にかかる滑り止めシートについて説明する。
図４、図５は、変形例にかかる滑り止めシートを説明する図である。
図４の（ａ）は、第１の変形例にかかる滑り止めシート３Ａを説明する斜視図である。
図４の（ｂ）は、第２の変形例にかかる滑り止めシート３Ｂを説明する斜視図である。
図５の（ａ）は、第３の変形例にかかる滑り止めシート３Ｃの斜視図である。
図５の（ｂ）は、第３の変形例にかかる滑り止めシート３Ｃの正面図である。
ここで、滑り止めシートの厚み及び滑り止め３１１、３２１は、誇張して記載してある。また、滑り止めシート３と共通する部分については同じ符号を使用すると共に、説明を省略する。
【００３９】
ここで、前記した実施の形態では、滑り止めシート３の上面３１に、全面に亘って滑り止め３１１が設けられた滑り止めシート３について例示したが、本考案に係る滑り止めシートは、この態様に限定されるものではない。
【００４０】
例えば、図４の（ａ）に示すように、上面３１の角部３ｋ、３ｋ、３ｋ、３ｋに、滑り止め３１１が設けられていない構成の滑り止めシート３Ａとしても良い。
また、図４の（ｂ）に示すように、上面３１の中央部分にのみ設けられた滑り止め３１１が設けられた構成の滑り止めシート３Ｂとしても良い。
さらに、図５の（ａ）に示すように、上面３１に滑り止め３１１が設けられていると共に、下面３２に滑り止め３２１が設けられている構成の滑り止めシート３Ｃとしても良い。
以下、変形例に係る滑り止めシート３Ａ、３Ｂ、３Ｃを順番に説明する。
【００４１】
［第１の変形例］
図４の（ａ）に示すように、滑り止めシート３Ａは、上面３１の角部３ｋ、３ｋ、３ｋ、３ｋを除いた領域に、滑り止め３１１が設けられている。
【００４２】
通常、トレイ２は、洗浄されて再利用されるが、紙製の滑り止めシート３Ａの場合には、使用後に破棄される。そのため、滑り止めシート３Ａは、当該滑り止めシート３Ａが積層された束の状態で、トレイ２の利用者に提供される。
そして、トレイ２への載置にあたり利用者は、滑り止めシート３Ａを１枚ずつ束から取り出して、トレイ２に載置することになる。
この際に、滑り止めシート３Ａの上面３１に全面に亘って滑り止め３１１が設けられていると、上下で重なった滑り止めシート３Ａを１枚ずつ取り出すことが難しくなる可能性がある。
【００４３】
そのため、上面３１の角部３ｋ、３ｋ、３ｋ、３ｋに、滑り止め３１１が設けられていない滑り止めシート３Ａとすることで、上下で重なった滑り止めシート３Ａを、何れかの角部３ｋ、３ｋ、３ｋ、３ｋを起点としてめくり挙げることができるので、積層された束の状態の滑り止めシート３Ａを、１枚ずつ取り出すことができるようになっている。
【００４４】
（５）食器運搬用のトレイ２に載置される滑り止めシート３Ａであって、
滑り止めシート３Ａの角部３ｋ、３ｋ、３ｋ、３ｋには、滑り止め３１１は設けられていない構成とした。
【００４５】
このように構成すると、角部３ｋ、３ｋ、３ｋ、３ｋに、滑り止め３１１を設けていないと、積層された状態の滑り止めシート３Ａの角部３ｋ、３ｋ、３ｋ、３ｋを簡単にめくりあげることができる。よって、滑り止めシート３Ａが積層された束の状態で提供された場合であっても、滑り止めシート３Ａを束から簡単に取り出して、トレイ２に載置できる。よって、トレイ２と滑り止めシート３Ａとのセットを大量に取り扱う配膳施設などにおいて、滑り止めシート３Ａをトレイ２に載置するために必要となる手間（作業コスト）の低減が可能になる。
【００４６】
［第２の変形例］
図４の（ｂ）で示すように、滑り止めシート３Ｂは、上面３１の滑り止め３１１が、当該上面３１の中央部分にのみ設けられている。
【００４７】
食器６が滑り止めシート３Ｂを介してトレイ２に載置される場合、当該トレイ２（滑り止めシート３Ｂ）の中央部分に載置されることが多いからである。
【００４８】
（６）食器運搬用のトレイ２に載置される滑り止めシート３Ｂであって、
滑り止めシート３Ｂの上面３１には、滑り止め３１１が設けられており、当該滑り止め３１１は、滑り止めシート３Ｂの上面３１の中央部分に設けられている構成とした。
【００４９】
このように構成すると、滑り止め３１１の設けられた領域を最小限にすることで、滑り止めシート３Ｂの製造にかかるコストを抑えることができる。
【００５０】
さらに、滑り止めシート３Ｂの滑り止め３１１は、上面３１の中央部分に設けられているのみであって、角部３ｋ、３ｋ、３ｋ、３ｋには設けられていない。
【００５１】
この場合、積層された束の状態の滑り止めシート３Ｂは、積層方向に隣接する角部３ｋ、３ｋ、３ｋ、３ｋにおいて滑り止めの効果は発揮されない。
【００５２】
そうすると、前記した滑り止めシート３Ａと同様、角部３ｋ、３ｋ、３ｋ、３ｋに、滑り止め３１１を設けていないと、積層された束の状態の滑り止めシート３Ｂの角部３ｋ、３ｋ、３ｋ、３ｋを簡単に、大きくめくりあげることができる。
よって、滑り止めシート３Ｂが積層された束の状態で提供された場合であっても、滑り止めシート３Ｂを束から簡単に取り出して、トレイ２に載置できる。よって、トレイ２と滑り止めシート３Ｂとのセットを大量に取り扱う配膳施設などにおいて、滑り止めシート３Ｂをトレイ２に載置するために必要となる手間（作業コスト）の低減が可能になる。
【００５３】
［第３の変形例］
図５の（ａ）、（ｂ）に示すように、滑り止めシート３Ｃは、上面３１に滑り止め３１１が設けられていると共に、下面３２にも滑り止めが設けられている（以下、滑り止め３２１と標記する。）。この滑り止め３２１は、上記滑り止め３１１と同様の構成である。
【００５４】
図１の（ａ）、（ｂ）と同様にして、トレイ２の上面２３に滑り止めシート３Ｃを載置すると、滑り止めシート３Ｃの下面３２に設けられた滑り止め３２１が、トレイ２の上面２３と接触する。また、滑り止めシート３Ｃの上面３１に設けられた滑り止め３１１が、食器６と接触する。この場合、トレイ２の上面２３には滑り止め２３１が設けられていなくてもよい。
【００５５】
そうすると、滑り止めシート３Ｃの下面３２に設けられた滑り止め３２１によって、滑り止めシート３Ｃとトレイ２との相対移動が規制される。
そして、滑り止めシート３Ｃの上面３１に設けられた滑り止め３１１によって、滑り止めシート３Ｃと食器６との相対移動が規制される。よって、食器６、滑り止めシート３Ｃ及びトレイ２の相対移動が規制される。
【００５６】
また、滑り止めシート３Ｃの角部３ｋ、３ｋ、３ｋ、３ｋには、滑り止め３１１及び滑り止め３２１は設けられていない。
【００５７】
この場合、積層された束の状態の滑り止めシート３Ｃは、積層方向に隣接する角部３ｋ、３ｋ、３ｋ、３ｋにおいて滑り止めの効果は発揮されない。
【００５８】
（７）食器運搬用のトレイ２に載置される滑り止めシート３Ｃであって、
滑り止めシート３Ｃの上面３１には、滑り止め３１１が設けられており、下面３２には滑り止め３２１が設けられている構成とした。
【００５９】
このように構成すると、トレイ２には滑り止め２３１が設けられていない場合であっても、滑り止めシート３Ｃの上面３１に設けられた滑り止め３１１によって、滑り止めシート３Ｃと食器６との相対移動を規制し、下面３２に設けられた滑り止め３２１によって、滑り止めシート３Ｃとトレイ２との相対移動を規制する。よって、食器６、滑り止めシート３Ｃ及びトレイ２の相対移動を規制することができる。
【００６０】
（８）滑り止めシート３Ｃの角部３ｋ、３ｋ、３ｋ、３ｋには、滑り止め３１１及び滑り止め３２２は設けられていない構成とした。
【００６１】
このように構成すると、前記した滑り止めシート３Ａの場合と同様、角部３ｋ、３ｋ、３ｋ、３ｋに、滑り止め３１１を設けていないと、積層された状態の滑り止めシート３Ｃの角部３ｋ、３ｋ、３ｋ、３ｋを簡単にめくりあげることができる。よって、滑り止めシート３Ｃが積層された束の状態で提供された場合であっても、滑り止めシート３Ｃを束から簡単に取り出して、トレイ２に載置できる。よって、トレイ２と滑り止めシート３Ｃとのセットを大量に取り扱う配膳施設などにおいて、滑り止めシート３Ｃをトレイ２に載置するために必要となる手間（作業コスト）の低減が可能になる。
【００６２】
さらに、トレイ２に載置された滑り止めシート３Ｃの角部３ｋ、３ｋ、３ｋ、３ｋは、滑り止めの効果を受けないので、当該角部３ｋ、３ｋ、３ｋ、３ｋを容易に摘まみ上げることができる。
よって、角部３ｋ、３ｋ、３ｋ、３ｋのうちの少なくとも１ヶ所を摘まみ上げたのち、滑り止めシート３Ｃをトレイ２から容易に剥がすことができるので、滑り止めシート３Ｃの交換が容易である。
【００６３】
（９）滑り止め２３１、滑り止め３１１及び滑り止め３２１は、アクリル樹脂又は軟質ウレタンから構成されているものとした。
【００６４】
このように構成すると、摩擦係数の高いアクリル樹脂又は軟質ウレタンによって、トレイ２と滑り止めシート３との間の摩擦抵抗及び、滑り止めシート３と食器６との間の摩擦抵抗を高めることができる。
これにより、滑り止めシート３とトレイ２との相対移動を規制すると共に、食器６と滑り止めシート３との相対移動を規制する。よって、食器６、滑り止めシート３及びトレイ２の相対移動を規制することができる。
【００６５】
なお、トレイ２及び滑り止めシート３を平面視における矩形形状としたが、これに限定されない。例えば、平面視において円形とするなど、任意の形状を採用することができる。
【符号の説明】
【００６６】
１      トレイセット
２      トレイ
３      滑り止めシート
３Ａ    滑り止めシート
３Ｂ    滑り止めシート
３Ｃ    滑り止めシート
３ｋ    角部
６      食器
２０    底板
２３    上面
２４    下面
３１    上面
３２    下面
２３１  滑り止め
２４３  リブ
３１１  滑り止め
３２１  滑り止め
【図１】
0003209761.tif 000003
【図２】
0003209761.tif 000004
【図３】
0003209761.tif 000005
【図４】
0003209761.tif 000006
【図５】
0003209761.tif 000007
【図６】
0003209761.tif 000008